(57)【要約】      （修正有）【課題】光学エンジンからリアプロジェクションスクリーンに、小入射角度のみならず大入射角度の入射光でも屈折・全反射させて垂直方向に偏向でき、かつ容易に製造可能であるリアプロジェクションスクリーン用光偏向素子を提供する。【解決手段】屈折型シリンドリカルフレネルレンズ９、ハイブリッド型ＣＦＬ、全反射型ＣＦＬ８の計３種から光入射側と光出射側とで１種ずつ重複を許して選ばれた計２種を互いに直交させて積層した全９種類の直交積層ＣＦＬからなる光偏向素子７であり、いずれもロール転写法等により超大画面スクリーンに容易に対応できる。望ましくは縦横双方向視野角独立制御可能なフライアイレンズ等やブラックマスク層と併用する。またＤ型拡散フィルムを加えて上記３種のＣＦＬを各１枚のみとすることで、さらなる超大画面スクリーンへも容易に対応できる。【選択図】図６
2008304586.tif 000002
【特許請求の範囲】
【請求項１】
光学エンジンからリアプロジェクションスクリーンへの入射光を屈折させてスクリーン法線方向に偏向させて集光素子または集光拡散素子へ出射させる光偏向素子であって、２枚の屈折型シリンドリカルフレネルレンズを互いに直交させて積層した直交積層シリンドリカルフレネルレンズからなることを特徴とするリアプロジェクションスクリーン用光偏向素子。
【請求項２】
光学エンジンからリアプロジェクションスクリーンへの入射光を屈折させてスクリーン法線方向に偏向させて集光素子または集光拡散素子へ出射させる光偏向素子であって、ハイブリッド型シリンドリカルフレネルレンズと屈折型シリンドリカルフレネルレンズとを互いに直交させて積層した直交積層シリンドリカルフレネルレンズからなり、前記ハイブリッド型シリンドリカルフレネルレンズの直線状屈折型プリズムと直線状全反射プリズムのペアのアレイ面形状が入光側になることを特徴とするリアプロジェクションスクリーン用光偏向素子。
【請求項３】
光学エンジンからリアプロジェクションスクリーンへの入射光を屈折および全反射させてスクリーン法線方向に偏向させて集光素子または集光拡散素子へ出射させる光偏向素子であって、２枚のハイブリッド型シリンドリカルフレネルレンズを互いに直交させて積層した直交積層シリンドリカルフレネルレンズからなり、前記直交され積層された２枚のハイブリッド型シリンドリカルフレネルレンズの直線状屈折型プリズムと直線状全反射プリズムのペアのアレイ面形状が入光側になることを特徴とするリアプロジェクションスクリーン用光偏向素子。
【請求項４】
光学エンジンからリアプロジェクションスクリーンへの入射光を屈折および全反射させてスクリーン法線方向に偏向させて集光素子または集光拡散素子へ出射させる光偏向素子であって、全反射型シリンドリカルフレネルレンズと屈折型シリンドリカルフレネルレンズとを互いに直交させて積層した直交積層シリンドリカルフレネルレンズからなり、前記全反射型シリンドリカルフレネルレンズの直線状プリズムアレイ面形状の端部が入光側になることを特徴とするリアプロジェクションスクリーン用光偏向素子。
【請求項５】
前記集光素子または集光拡散素子が、フライアイレンズからなる集光拡散素子であり、前記直交積層シリンドリカルフレネルレンズは、その全反射型シリンドリカルフレネルレンズの直線状プリズムの長手方向がスクリーン横方向に対して傾斜するように配置されることを特徴とする請求項４に記載のリアプロジェクションスクリーン用光偏向素子。
【請求項６】
前記集光素子または集光拡散素子が、フライアイレンズからなる集光拡散素子であり、前記フライアイレンズのレンズ単位胞の縦サイズと横サイズが相異なり、かつ同レンズ単位胞の縦方向焦点距離と横方向焦点距離が相異なることを特徴とする請求項１〜５のいずれかに記載のリアプロジェクションスクリーン用光偏向素子。
【請求項７】
請求項６において、前記フライアイレンズが、その縦方向集光面と横方向集光面のいずれか一方または両方に、ストライプ状、矩形状、楕円形状のいずれかの形状の開口の配列からなる開口アレイをなす一層または二層のブラックマスク層を有することを特徴とするリアプロジェクションスクリーン用光偏向素子。
【請求項８】
請求項５，６，７のいずれかにおいて、前記フライアイレンズに代えて直交積層レンティキュラレンズとしたことを特徴とするリアプロジェクションスクリーン用光偏向素子。
【請求項９】
光学エンジンからリアプロジェクションスクリーンへの入射光を屈折および全反射させてスクリーン法線方向に偏向させて集光素子または集光拡散素子へ出射させる光偏向素子であって、屈折型シリンドリカルフレネルレンズ、ハイブリッド型シリンドリカルフレネルレンズ、全反射型シリンドリカルフレネルレンズの計３種のうちから光入射側と光出射側とで１種ずつ重複を許して選ばれた計２種を互いに直交させて積層した全９種類の直交積層シリンドリカルフレネルレンズから、請求項１，２，３，４，５にそれぞれ１種類ずつ記載された計５種類を除いた残りのうちのいずれか１種類の直交積層シリンドリカルフレネルレンズからなることを特徴とするリアプロジェクションスクリーン用光偏向素子。
【請求項１０】
屈折型、ハイブリッド型及び全反射型シリンドリカルフレネルレンズ３種類のうち1種類のみの1層を縦方向光偏向用シリンドリカルフレネルレンズとして用い、縦方向集光拡散用レンティキュラレンズとストライプ状ブラックマスク及び横方向拡散用Ｄ型拡散フィルムより構成されたことを特徴とするリアプロジェクションスクリーン。
【請求項１１】
請求項１０に記載のリアプロジェクションスクリーンにおいて、縦方向集光拡散用レンティキュラレンズに対して縦方向光偏向用シリンドリカルフレネルレンズを傾斜させて配置したことを特徴とするリアプロジェクションスクリーン。
【請求項１２】
請求項１０又は１１に記載のリアプロジェクションスクリーンにおいて、縦方向と横方向を入れ替えたことを特徴とするリアプロジェクションスクリーン。
【発明の詳細な説明】
【技術分野】
【０００１】
本発明は、リアプロジェクション（略してリアプロ）スクリーン用光偏向素子に関し、詳しくは、光学エンジンからリアプロジェクションスクリーンに入射する光をスクリーン法線方向に偏向する機能をもつリアプロジェクションスクリーン用光偏向素子、及び、縦方向又は横方向どちらか一方の光入射方向を、スクリーンに対し垂直に偏向する機能をもつリアプロジェクションスクリーン用光偏向素子のみで機能するリアプロジェクションスクリーンに関する。
【背景技術】
【０００２】
従来のリアプロジェクションスクリーンの１例を図１に示す。これは、光学エンジン１からの入光側から順に、フレネルレンズ２、レンティキュラレンズ３、ブラックマスク４、拡散フィルム５、あるいはさらに反射防止膜６を積層した構造を有する。
光偏向素子として用いられるフレネルレンズ２は、レンズ光軸方向の一端部が平面形状とされ、他端部が、１個のレンズをレンズ光軸に垂直な面で切断して細分し、細分したもの同士の相互干渉がないとみなして、これらをレンズ主平面に押付けてできる形（複数の環状レンズ部分が同心円状に配列された形）の面形状とされている。光学エンジン１から出射してフレネルレンズ２へ入射した光は、フレネルレンズ２の面形状および屈折率の設定によって制御された方向に屈折され、スクリーン法線方向の光となって出射する。
【０００３】
集光素子として用いられるレンティキュラレンズ３は、レンズ光軸方向の一端部がシリンドリカル凸レンズ面を複数並列に配置してできる形の面形状とされ、他端部が平面形状とされている。この例ではスクリーン内のシリンドリカル凸レンズの長手方向がスクリーン縦方向（図１の紙面に垂直な方向）に平行とされている（直交とされる場合もある）。フレネルレンズ２から出射してレンティキュラレンズ３へ入射した光（スクリーン法線方向の光）はレンティキュラレンズ３の面形状および屈折率の設定によって制御された方向に屈折され、ブラックマスク４の縦縞状の開口部に集光した後スクリーン横方向に拡散して出射する。
【０００４】
拡散フィルム４は、透明媒体に微粒子等を分散させたもの（以下、Ｐ型拡散フィルムという）、および、屈折率の相異なる層がフィルム面内方向に交互に並んだ内部構造をもつもの（以下、Ｄ型拡散フィルムという）がある。
Ｐ型拡散フィルムは、入射してきた光を微粒子等のミー散乱により不特定の方向へ拡散させる。一方、Ｄ型拡散フィルムは、その内部構造により、特定の方向から入射してきた光を特定の方向へ拡散させる。図１の拡散フィルム５にＤ型拡散フィルムを用いる場合、スクリーン縦方向とスクリーン横方向の両方向で十分な視野角を得るために、拡散方向特性の異なる複数のＤ型拡散フィルムを重ね合わせたものを用いる必要がある。
【０００５】
ブラックマスク４の開口部を出てスクリーン横方向に拡散した光は拡散フィルム５を通過することによりスクリーン縦方向にも拡散し、観察者に向かう。
しかし、これには、次のような問題があった。
Ｐ型拡散フィルムの場合は微粒子等のミー散乱による拡散であることから、(a)解像度の低下、(b)シンチレーションの発生、(c)拡散光強度分布がガウス的分布であることによる明るさの不均一、(d)微粒子からの後方散乱による明所コントラストの低下等の問題があり、また、拡散角度範囲が不十分なため視野角を拡大するのが困難である。
【０００６】
一方、Ｄ型拡散フィルムの場合は、微粒子を用いず、拡散光強度分布がトップハット的分布であることから、前記(a)〜(d)の問題はないが、視野角を拡大するために多層に重ねる必要があるため、フィルム相互界面での後方散乱による明所コントラストの低下と、拡散フィルムの多層重ね合わせによる厚さの増加にともなう表示画像の解像度の低下が問題となる。
【０００７】
そこで、拡散フィルムを用いないスクリーンが提案されている（例えば特許文献１，２など）。これは、図１において、拡散フィルム５をなくし、かつ、レンティキュラレンズ３に代えて、集光拡散素子としてフライアイレンズを用い、かつ、ブラックマスク４の開口部を縦縞状開口部から点孔状開口部へ変更したものである。
このスクリーンにおいて、フライアイレンズは、光軸方向の一端部が回転軸対称のレンズ単位胞を同一平面上に複数個すきまなく配列した面形状とされ、他端部が平面形状とされている。フレネルレンズから出射してフライアイレンズへ入射した光（スクリーン法線方向の光）はフライアイレンズの面形状および屈折率の設定によって制御された方向に屈折され、ブラックマスクの点孔状の開口部に集光した後スクリーン縦横方向に拡散して出射する。
【０００８】
しかし、上述のフライアイレンズの拡散をスクリーンの位置に対して均一にするには、フライアイレンズへの入射光の方向を全て揃える必要があり、この機能を実現しているのが、フレネルレンズである。しかし、大画面用リアプロジェクションスクリーンになると、このフレネルレンズ用の金型作製が非常に困難となる。なぜなら、この金型は、長いアームに付けられたバイトによって、複数の同心円環状レンズ（又は、同心円環状プリズム）の面形状を、バイトの角度を変えながら、高精度に削り出してゆくものであり、現状装置では、このアームの長さは、世界最大級でも２ｍ程度である。よって、フレネルレンズ光軸をスクリーンの中心位置に設置して作れる最大級スクリーンサイズは、縦横比9：16の場合は、1.96ｍ×3.48ｍ（約157inch）である。薄型リアプロジェクションスクリーン用の偏心フレネルレンズの場合は、これよりさらに小さくなっていく。これが問題である。
【０００９】
さらに、上述のスクリーンでは、光学エンジンからの光をフレネルレンズでもってスクリーン法線方向の光に変換しているから、リアプロジェクションディスプレイが薄型かつ大画面になると、光学エンジンからスクリーンへの入射光の入射角度が大きくなり、フレネルレンズのレンズパワー（屈折力）が不足して、光学エンジンからスクリーンへの入射光をスクリーン法線方向に平行な光に変換できなくなる問題がある。
【００１０】
この問題の解決手段として、フレネルレンズにおいて、複数の環状レンズ部分が同心円状に配列された形の面形状素子、または複数の環状プリズムが同心円状に配列された形の面形状（環状プリズムアレイ面形状）素子が、屈折に加え全反射も可能としたされてなるハイブリッド型フレネルレンズおよび全反射型フレネルレンズが知られている。
全反射によれば屈折による場合の２倍の角度で光の進路を偏向させることができる。そこで、全反射型フレネルレンズの環状プリズムアレイ面形状側を入光側とし、屈折率およびプリズム断面形状を最適化することにより、光学エンジンから大きな入射角度で入射してきた光を、屈折型フレネルレンズを用いた場合よりも大きく偏向させ、スクリーン法線方向に平行な光に変換して出射させることが可能である。
【特許文献１】特開２００５−１４１２０２号公報
【特許文献２】特開２００６−１３９１４２号公報
【発明の開示】
【発明が解決しようとする課題】
【００１１】
前記屈折型、ハイブリッド型および全反射型の各フレネルレンズは、透光平板の片面に半径方向の１ピッチの断面形状がプリズム形状になる凹凸条を小さいピッチで同心円状（あるいは同心円弧状）に複数刻設して製造される。その製造には、切削バイトを円周方向に走行させて前記凹凸条を刻設する装置が用いられる。しかし、スクリーンが大画面になると、その製造装置が大規模なものとなり、また、複数の同心円（あるいは同心円弧）の個々に異なるプリズム形状に対応して切削バイトを交換する必要があるため、製造が困難であるという問題がある。
【００１２】
さらに、既に提案されているフライアイレンズ型の拡散スクリーンの場合、レンズ単位胞全体に、スクリーン法線方向の光が入射しなければ設計通りの拡散特性が得られないが、薄型大画面の大角度入射リアプロジェクションスクリーンの場合、全反射フレネルにより、スクリーン法線方向へ光の方向を変えると、光がフライアイレンズに入射する部分と入射しない部分が、全反射フレネルの同心円パターンに合わせて発生する。大角度になればなるほど、この光が入射するリング状パターンの一部の幅と、光が入射しないリング状パターンの一部の幅の比率（デューティ比）が悪化し、設計通りの拡散特性が得られないだけでなく、場所によって、拡散特性が大きく変化してしまう大問題が発生することになる。
【００１３】
本発明は上述の問題を解決し、光学エンジンからの光を、大画面のリアプロジェクションスクリーン法線方向に変換する（偏向する）容易に製造可能な、大画面対応リアプロジェクションスクリーン用光偏向素子および、屈折と全反射を応用した薄型大画面の大角度入射リアプロジェクションスクリーン対応の容易に製造可能な光偏向素子、さらに、上記大角度入射対応スクリーン用光偏向素子を用いたリアプロジェクションスクリーンの拡散素子として、フライアイレンズ（または直交積層レンティキュラレンズ）等のマイクロレンズアレイ（または直交積層シリンドリカルレンズアレイ）を用いても、レンズ単位胞の設計通りの拡散特性が、スクリーン全体で均一に得られる容易に製造可能な大角度入射対応リアプロジェクションスクリーン用光偏向素子を提供することを目的とする。
【課題を解決するための手段】
【００１４】
発明者らは前記目的を達成する手段を鋭意検討し、その結果、前記屈折型、ハイブリッド型および全反射型の各フレネルレンズと光学的に等価であり、かつこれよりも格段に容易に製造できる光偏向素子として、次の３種のシリンドリカルフレネルレンズ、すなわち
1）屈折型シリンドリカルフレネルレンズ、
2）ハイブリッド型シリンドリカルフレネルレンズ、
3）全反射型シリンドリカルフレネルレンズ、
のうちから、光入射側とされる１種と光出射側とされる１種との計２種を、重複を許して選択し、該選択された２種を互いに直交させて積層した全部で９通り（全９種類）の直交積層シリンドリカルフレネルレンズを創案した。
【００１５】
屈折型シリンドリカルフレネルレンズは、レンズ光軸方向の一端部が平面形状とされ、他端部が、１個のシリンドリカルレンズをレンズ光軸に垂直な面で切断して細分し、細分したもの同士の相互干渉がないとみなして、これらをレンズ主平面に押付けてできる形（複数の直線状レンズ部分が並列に配置された形）の面形状とされたものである。
さらに、この直線状レンズ部分の形状の曲線が、ほぼ直線とみなされるため、曲線を直線で近似した屈折型プリズムアレイの面形状としたものもある。この直線状レンズ（または、直線状屈折型プリズム）のアレイの面形状は、屈折型シリンドリカルフレネルレンズの光の出射側に形成される。
【００１６】
２枚の屈折型シリンドリカルフレネルレンズを直交させるとは、例えば図２に示すように、１枚目の屈折型シリンドリカルフレネルレンズ21の直線状屈折型レンズ部（または、直線状屈折型プリズム部分）の長手方向を２枚目の屈折型シリンドリカルフレネルレンズ22のそれと互いに直交させることを意味する。
ハイブリッド型シリンドリカルフレネルレンズは、前記屈折型シリンドリカルフレネルレンズの入射角が大きくなるレンズの端の部分において、全反射型の直線状プリズムを、屈折型の直線状プリズムの間に混在させたもので、この混在させる割合は、低角度入射側では、屈折型の直線状プリズムがほぼ100％で、高角度入射側へ行くに従って、屈折型直線状プリズムの混在割合が次第に減少し、全反射型直線状プリズムの混在割合が次第に増加していき、最後に、ほぼ100％になるものである。この表面形状は光の入射側へ形成される。
【００１７】
ハイブリッド型シリンドリカルフレネルレンズと、屈折型シリンドリカルフレネルレンズを直交させるとは、１枚目のハイブリッド型シリンドリカルフレネルレンズの光入射側の直線状屈折型と全反射型との混在したプリズム部分の長手方向と、２枚目の屈折型シリンドリカルフレネルレンズの光出射側の直線状プリズム（レンズ）部の長手方向を直交させることを意味する。なお、この積層の貼り合わせ面は、ハイブリッド型シリンドリカルフレネルレンズの光出射側と、屈折型シリンドリカルフレネルレンズの光入射側であり、両方とも平面であるため、２つのフレネルレンズの屈折率が同じであれば、積層界面（貼り合わせ界面）がなくなり、内部での多重反射による解像度低下や迷光が発生しない長所がある。
【００１８】
全反射型シリンドリカルフレネルレンズは、前記のハイブリッド型シリンドリカルフレネルレンズよりさらに、大角度入射専用に設計したもので、入射角度が約50°以上で有効に機能する。原理的に約50°〜90°入射で使用可能である。構造は前記ハイブリッド型シリンドリカルフレネルレンズの全反射型直線状プリズム（またはレンズ）のみで構成したものであり、形状は、光の入射側のみに存在し、光の出射側は平面である。
【００１９】
全反射型シリンドリカルフレネルレンズと、屈折型シリンドリカルフレネルレンズを互いに直交させるとは、全反射型シリンドリカルフレネルレンズの光入射側の直線状全反射型プリズム（またはレンズ）の長手方向と、屈折型シリンドリカルフレネルレンズの光の出射側の直線状屈折型プリズム（またはレンズ）の長手方向とを、互いに直交させることを意味する。なお、この積層の貼り合わせ面は、全反射型シリンドリカルフレネルレンズの光出射側と屈折型シリンドリカルフレネルレンズの光入射側であり、両方とも平面であるため、２つのフレネルレンズの屈折率が同じであれば、積層界面（貼り合わせ界面）がなくなり、内部での多重反射による解像度低下がなく、さらに迷光が発生しない長所がある。
【００２０】
上記シリンドリカルフレネルレンズの製造は、ロール転写法によるため大画面に容易に対応できるものであるが、ローラの長さにも制限があるため、縦横比の異なる超大画面スクリーンを考えると、縦横の長さで短い方をローラの長さとし、ローラの回転方向を長い方（の延在方向）としたシリンドリカルフレネルレンズのみを用いて構成できるリアプロジェクションスクリーンが、直交積層シリンドリカルフレネルレンズシステムよりも、大画面に対応できることになる。縦横比9：16のシリンドリカルフレネルレンズ1層システムは、直交２層積層システムの約２倍のサイズに対応可能である。発明者らは前記直交２層積層シリンドリカルフレネルレンズシステムに加え、さらに超大画面リアプロジェクションスクリーンを達成する手段を鋭意検討し、その結果、Ｄ型拡散フィルムの優れた特性である入射角に無依存なトップハット的拡散特性を応用することにより、１層のみのシリンドリカルフレネルレンズ構成のリアプロジェクションスクリーンを創案した。横方向が長いスクリーンの場合、最初に縦方向光偏向用シリンドリカルフレネルレンズで縦方向のみ光の角度をスクリーンに垂直に変換する。次に縦方向の集光拡散を横方向の長いスクリーンに有利なレンティキュラレンズで行い、外光対策としてストライプ状ブラックマスクを設ける。この状態では横方向の光偏向用シリンドリカルフレネルレンズを用いていないため、スクリーンヘの入射角は、スクリーンの横方向の位置に対して変化している。
【００２１】
しかしこの変化がＤ型拡散フィルムの入射角度範囲内に入っていれば、横方向拡散に関して入射角に依存しないトップハット的拡散が実現することになり、横方向の光偏向用シリンドリカルフレネルレンズをなくすことが可能となり、縦横比9：16の場合、約２倍サイズのリアプロジェクションスクリーンが達成できる。
すなわち、本発明は、以下のとおりである。
【００２２】
請求項１記載の本発明は、光学エンジンからリアプロジェクションスクリーンへの入射光を屈折させてスクリーン法線方向に偏向させて集光素子または集光拡散素子へ出射させる光偏向素子であって、２枚の屈折型シリンドリカルフレネルレンズを互いに直交させて積層した直交積層シリンドリカルフレネルレンズからなることを特徴とするリアプロジェクションスクリーン用光偏向素子である。
【００２３】
請求項２記載の本発明は、光学エンジンからリアプロジェクションスクリーンへの入射光を屈折させてスクリーン法線方向に偏向させて集光素子または集光拡散素子へ出射させる光偏向素子であって、ハイブリッド型シリンドリカルフレネルレンズと屈折型シリンドリカルフレネルレンズとを互いに直交させて積層した直交積層シリンドリカルフレネルレンズからなり、前記ハイブリッド型シリンドリカルフレネルレンズの直線状屈折型プリズムと直線状全反射プリズムのペアのアレイ面形状が入光側（光入射側）になることを特徴とするリアプロジェクションスクリーン用光偏向素子である。
【００２４】
請求項３記載の本発明は、光学エンジンからリアプロジェクションスクリーンへの入射光を屈折および全反射させてスクリーン法線方向に偏向させて集光素子または集光拡散素子へ出射させる光偏向素子であって、２枚のハイブリッド型シリンドリカルフレネルレンズを互いに直交させて積層した直交積層シリンドリカルフレネルレンズからなり、前記直交され積層された２枚のハイブリッド型シリンドリカルフレネルレンズの直線状屈折型プリズムと直線状全反射プリズムのペアのアレイ面形状が入光側（光入射側）になることを特徴とするリアプロジェクションスクリーン用光偏向素子である。
【００２５】
請求項４記載の本発明は、光学エンジンからリアプロジェクションスクリーンへの入射光を屈折および全反射させてスクリーン法線方向に偏向させて集光素子または集光拡散素子へ出射させる光偏向素子であって、全反射型シリンドリカルフレネルレンズと屈折型シリンドリカルフレネルレンズとを互いに直交させて積層した直交積層シリンドリカルフレネルレンズからなり、前記全反射型シリンドリカルフレネルレンズの直線状プリズムアレイ面形状の端部が入光側（光入射側）になることを特徴とするリアプロジェクションスクリーン用光偏向素子である。
【００２６】
請求項５記載の本発明は、前記集光素子または集光拡散素子が、フライアイレンズからなる集光拡散素子であり、前記直交積層シリンドリカルフレネルレンズは、その全反射型シリンドリカルフレネルレンズの直線状プリズムの長手方向がスクリーン横方向に対して傾斜するように配置されることを特徴とする請求項４に記載のリアプロジェクションスクリーン用光偏向素子である。
【００２７】
請求項６記載の本発明は、前記集光素子または集光拡散素子が、フライアイレンズからなる集光拡散素子であり、前記フライアイレンズのレンズ単位胞の縦サイズと横サイズが相異なり、かつ同レンズ単位胞の縦方向焦点距離と横方向焦点距離が相異なることを特徴とする請求項１〜５のいずれかに記載のリアプロジェクションスクリーン用光偏向素子である。
【００２８】
請求項７記載の本発明は、請求項６において、前記フライアイレンズが、その縦方向集光面と横方向集光面のいずれか一方または両方に、ストライプ状、矩形状、楕円形状のいずれかの形状の開口の配列からなる開口アレイをなす一層または二層のブラックマスク層を有することを特徴とするリアプロジェクションスクリーン用光偏向素子である。
請求項８記載の本発明は、請求項５，６，７のいずれかにおいて、前記フライアイレンズに代えて直交積層レンティキュラレンズとしたことを特徴とするリアプロジェクションスクリーン用光偏向素子である。
【００２９】
請求項９記載の本発明は、光学エンジンからリアプロジェクションスクリーンへの入射光を屈折および全反射させてスクリーン法線方向に偏向させて集光素子または集光拡散素子へ出射させる光偏向素子であって、屈折型シリンドリカルフレネルレンズ、ハイブリッド型シリンドリカルフレネルレンズ、全反射型シリンドリカルフレネルレンズの計３種のうちから光入射側と光出射側とで１種ずつ重複を許して選ばれた計２種を互いに直交させて積層した全９種類の直交積層シリンドリカルフレネルレンズから、請求項１，２，３，４，５にそれぞれ１種類ずつ記載された計５種類を除いた残りのうちのいずれか１種類の直交積層シリンドリカルフレネルレンズからなることを特徴とするリアプロジェクションスクリーン用光偏向素子である。
【００３０】
請求項１０に記載の本発明は、屈折型、ハイブリッド型及び全反射型シリンドリカルフレネルレンズ３種類のうち1種類のみの1層を縦方向光偏向用シリンドリカルフレネルレンズとして用い、縦方向集光拡散用レンティキュラレンズとストライプ状ブラックマスク及び横方向拡散用Ｄ型拡散フィルムより構成されたことを特徴とするリアプロジェクションスクリーンである。
【００３１】
これは、詳しくは、１層のみのシリンドリカルフレネルレンズスクリーンであり、光学エンジンからリアプロジェクションスクリーンへの入射角を縦方向光偏向用シリンドリカルフレネルレンズによって、縦方向の入射角のみ、スクリーンの垂直方向に変換し、次に縦方向集光拡散用レンティキュラレンズにより縦方向の拡散を行い、集光線上でストライプ状ブラックマスクによる外光対策を施し、最後にＤ型拡散フィルムの入射角に無依存なトップハット的拡散性により横方向拡散を実現することを特徴とするリアプロジェクションスクリーンである。なお縦方向光偏向用シリンドリカルフレネルレンズとして、屈折型、ハイブリッド型、及び全反射型を含む。
【００３２】
請求項１１に記載の本発明は、請求項１０に記載のリアプロジェクションスクリーンにおいて、縦方向集光拡散用レンティキュラレンズに対して縦方向光偏向用シリンドリカルフレネルレンズを傾斜させて配置したことを特徴とするリアプロジェクションスクリーンであり、詳しくは、縦方向拡散の均一性をより改善するために、縦方向集光拡散用レンティキュラレンズに対して縦方向光偏向用シリンドリカルフレネルレンズを傾斜させて配置したことを特徴とするリアプロジェクションスクリーンである。
【００３３】
請求項１２に記載の本発明は、請求項１０又は１１に記載のリアプロジェクションスクリ一ンにおいて縦方向と横方向を入れ替えたことを特徴とするリアプロジェクションスクリーンである。
【発明の効果】
【００３４】
本発明によれば、光学エンジンから大きな入射角度で入射してくる光をスクリーン法線方向に偏向できる光偏向素子であって、しかも容易に製造できる大画面スクリーン対応の光偏向素子が得られる。
さらに、より大画面スクリーン対応のための、縦方向又は横方向のみスクリーン垂直方向に光の入射方向を偏向する光偏向素子でも機能する超大画面対応リアプロジェクションスクリーンが得られる。
【発明を実施するための最良の形態】
【００３５】
本発明の光偏向素子は、1）屈折型シリンドリカルフレネルレンズ、2）ハイブリッド型シリンドリカルフレネルレンズ、3）全反射型シリンドリカルフレネルレンズの３種のうちから、重複を許して、任意の２種を選択し、該選択した２枚のシリンドリカルフレネルレンズの直線状屈折型または直線状全反射型レンズ（もしくはプリズム）、さらには、これらの混在光学素子の長手方向を互いに直交させて、積層した、直交積層（略して直交）シリンドリカルフレネルレンズである。よって、光入射側から１枚目のシリンドリカルフレネルレンズの選択数は３種、２枚目のそれも３種あるので、全体で９通り（全９種類）の直交シリンドリカルフレネルレンズが考えられる。本発明はこれら９種類の直交積層シリンドリカルフレネルレンズを全て包含する。
【００３６】
これらの面形状は、いずれも直線状の凹凸条（凹凸断面が直線状に延在した条）の平行配列からなるので、製造方法として、かかる凹凸条の型形状をロール面に刻設したロールで透明平板を圧延することにより、直線状の凹凸条を透明平板表面に転写するロール転写法を採用できる。ロール転写法は、凹凸条の形状が条ごとに違っても、一度の圧延で全条転写でき、極めて容易かつ能率的である。この点は、直交積層シリンドリカルフレネルレンズが、大画面（現状では縦×横＝約２ｍ×約４ｍまで）のスクリーンに呼応して、大面積のものになっても、同様である。
【００３７】
図２は、請求項１記載の本発明の実施形態の1例を示す立体模式図である。図２の直交積層シリンドリカルフレネルレンズ23は、フレネルレンズ光軸近傍を使用するため、低入射角の光学エンジン１に適した構成である。光学エンジン１の設計は容易で無理がないが、薄型リアプロジェクションスクリーンには不向きな構成である。また、図２の直交積層シリンドリカルフレネルレンズ23は、２枚の屈折型シリンドリカルフレネルレンズ21,22間に空気界面が存在するため、解像度で迷光の問題が存在するタイプである。
【００３８】
図３は、請求項２記載の本発明の実施形態の1例を示す立体模式図である。この形態は、大角度入射に対応すべく、光入射側の縦方向光偏向素子として図２の屈折型シリンドリカルフレネルレンズ21に代えて、ハイブリッド型シリンドリカルフレネルレンズ24を用いるものである。ハイブリッド型シリンドリカルフレネルレンズ24には全反射型直線状プリズム26と屈折型直線状プリズム27とが混在する。一方、光出射側の横方向光偏向素子としたシリンドリカルフレネルレンズは、光軸近傍の低角度入射であるために、屈折型シリンドリカルフレネルレンズ22で対応可能である。
【００３９】
もっとも、図３において、光出射側の横方向光偏向素子として、屈折型シリンドリカルフレネルレンズ22に代えてハイブリッド型シリンドリカルフレネルレンズを用いることもできる（請求項３記載の本発明に対応：図示省略）。
図３の直交積層シリンドリカルフレネルレンズ（ハイブリッド型＋屈折型構成）25は、ハイブリッド型シリンドリカルフレネルレンズ24と屈折型シリンドリカルフレネルレンズ22の貼り合わせ面（積層面）がどちらも平面であるため空気界面が発生しない。これらハイブリッド型、屈折型の計２枚のシリンドリカルフレネルレンズの屈折率をマッチングさせれば、内部界面がなくなるため、内部反射がなくなり、解像度低下を防ぎ、迷光を低減することができる長所がある。
【００４０】
しかし、図３に示した形態のハイブリッド型シリンドリカルフレネルレンズは、入射光の一部が光偏向されない問題点がある。よって、光の利用効率が悪く、迷光が発生し、解像度が低下する。この問題を解決し、さらに薄型リアプロジェクションスクリーンに対応するために、大角度入射対応型としたのが請求項４記載の発明である。
図４は、請求項４記載の本発明の実施形態の1例を示す立体模式図である。この形態をなす直交積層シリンドリカルフレネルレンズ（全反射型＋屈折型構成）29は、図３（請求項２に対応）において、光入射側のハイブリッド型シリンドリカルフレネルレンズ24をさらに大角度入射（50°〜90°入射）専用にするため全反射型シリンドリカルフレネルレンズ28へ変更した形態であり、スクリーンの下側から上側まで全て全反射型直線状プリズム26（または全反射型直線状レンズ）によって、光の方向を変えるものであり、入射光の全てを偏向することができる。
【００４１】
大角度入射専用であるので、超薄型リアプロジェクションスクリーンに適している。
全反射型直線状プリズム26（または全反射型直線状レンズ）からなる面形状は光入射側のみに存在するため、光出射側の屈折型シリンドリカルフレネルレンズ22との貼り合わせ面に空気界面が発生しない長所があることは、図３（請求項２対応）の形態と同様である。
【００４２】
ただし図４の左側に示すように光学エンジン１からの光が、全反射型シリンドリカルフレネルレンズ28によって偏向させられると、W1の幅の直線状の領域には光が存在するが、W2の幅の直線状の領域には、光が存在しない。
リアプロジェクションスクリーン用の拡散フィルムとして、この光偏向素子（図４の直交積層シリンドリカルフレネルレンズ29）の出射側に、Ｐ型拡散フィルムやＤ型拡散フィルム等の拡散フィルムを用いる場合、特に問題は発生しないが、フライアイレンズや直交積層レンティキュラレンズ等のマイクロレンズからなる集光拡散素子を用いる場合、拡散特性に重大な問題が発生する。なぜなら、この集光拡散素子の設計拡散特性は、レンズ全体に光が入射した場合に得られるものであり、レンズの一部にしか光が入射しない場合、設計通りの拡散特性は得られず、スクリーン内の場所により異なる拡散特性となり、非常に不均一な拡散特性分布となるからである。
【００４３】
上記問題を解決するための設計法を図５を用いて説明する。図５は、図４の直交積層シリンドリカルフレネルレンズ29の光出射側に集光拡散素子として設置したフライアイレンズ17の一部分（５×５個のレンズ単位胞20を有する部分）を光入射側から見た様子を示す。レンズ単位胞20の大きさは横LP1（フライアイレンズ横ピッチ）×縦LP2（フライアイレンズ縦ピッチ）である。いま、斜線部とした幅W1の直線状ストライプ領域だけに光が入射し、非斜線部とした幅W2の直線状ストライプ領域には光が入射してこない。図５の左上のレンズ単位胞20に着目する。これを縦に４等分した領域ａ、ｂ’、ｃ’、ｄ’の各領域の大きさは横LP1×縦LP2/４である。
【００４４】
問題となるのは、左上の１個のレンズ単位胞20中の領域ａにのみ光が入射し、領域ｂ’、ｃ’、ｄ’には光が入射していないため、このレンズ単位胞のみでは、レンズ設計通りの拡散特性が得られない点である。しかし、この５×５の領域（フライアイレンズ17の部分）が、スクリーンの１画素（画素の縦ピッチPP2、横ピッチPP1）内に入っている場合、図示のように、ｂはｂ’と等価の拡散特性を、ｃはｃ’と、ｄはｄ’と、それぞれ等価な拡散特性を実現するから、１画素全体でみると、設計通りの拡散特性が実現する。
【００４５】
図５は、４本のストライプ状光入射領域で、１つのレンズ単位胞全体をカバーするように設計した例である。このとき、ストライプ状光入射領域のストライプピッチSP（＝W1＋W2)は、図５より、４×SP＝５×LP2、を満たす。ｎ本のストライプ状光入射領域で１つのレンズ単位胞全体をカバーする場合、次式の条件を満たせばよい。
ｎ×SP＝（ｎ＋ｌ)×LP2≦PP2    ‥‥(1)
図５は式(1)においてｎ＝４とした場合である。また、光が入射してくる直線状ストライプ領域の幅W1と光が入射してこない直線状ストライプ領域の幅W2の比は、W1：W2＝１：ｎ、として設計する（図５ではW1：W2＝１：４）。よって、LP2＝ｎ×W1とSP＝(ｎ＋１)×W1との最小公倍数ｎ×(ｎ＋１)×W1が画素の縦ピッチPP2以内に収まっていれば、すなわち次式が成立すれば、レンズ単位胞全体がカバーされる。
【００４６】
ｎ×(ｎ＋１)×W1≦PP2  ‥‥(2)
式(1)、(2)はほぼ同等の意味をもつ。式(1)または(2)を満足すれば、図４に例示されたような直交積層シリンドリカルフレネルレンズからなる請求項４記載の本発明の光偏向素子からの出射光を受ける集光素子または集光拡散素子として、フライアイレンズ（または直交積層レンティキュラレンズ）を適用できる。
【００４７】
光が入射してくる直線状ストライプ領域のパターンとフライアイレンズとの縦横の位置関係については、ピッチが正しく設定されてさえいれば、互いにズレてもレンズ単位胞全体がカバーされるため、位置合わせの必要はない。
もっとも、レンズピッチのバラツキや光が入射してくる直線状ストライプ領域のパターンのバラツキ等を考慮すると、より強力な拡散特性均一化のメカニズムが望ましい。
【００４８】
これを実現する手段が請求項５記載の本発明である。請求項４記載の本発明に係る光偏向素子は、光が入射してくる直線状ストライプ領域の複数本（ｎ本）でフライアイレンズのレンズ単位胞全体をカバーできるものであるのに対し、請求項５記載の本発明に係る光偏向素子は、光が入射してくる直線状ストライプ領域の1本のみでもレンズ単位胞全体をカバーできるものである。
【００４９】
図６は、この請求項５記載の本発明の実施形態の1例を示す立体模式図である。
図６に示す直交積層シリンドリカルフレネルレンズ７は、図４に示されたそれ（直交積層シリンドリカルフレネルレンズ29）を、スクリーン法線方向12の周りに角度θICCだけ回転させた、すなわちスクリーン縦方向10から角度θICCだけ傾斜させた状態となるように設置したものである。つまり、図４の配置状態は図６においてθICC＝０°とした場合に対応するといえる。なお、図６では、スクリーン正面から見た光偏向素子７の形状はスクリーンに必要とされる長方形（例えば、横：縦＝16：9の長方形）としている。
【００５０】
図６に示した光入射側の全反射型シリンドリカルフレネルレンズ（斜め縦方向光偏向素子）８によって、光の方向が偏向した後の光が該偏向の直後に入射する面内に織りなすパターンは、図６の左下に示した光学メカニズムによって、スクリーン横方向11に対してθICCだけ傾斜した直線状ストライプパターンとなり、光出射側の屈折型シリンドリカルフレネルレンズ（斜め横方向光偏向素子）９によって、光の方向をスクリーン法線方向に偏向させられて、スクリーン法線方向の光16となって、出射することになる。このθICCだけ傾斜した直線状ストライプパターンが、光偏向素子７の光出射側に設置する拡散素子に入射することになる。この拡散素子として、Ｐ型拡散フィルムやＤ型拡散フィルム等を用いた場合、図４の光偏向素子29と同様、問題はないが、拡散素子として、集光拡散素子であるフライアイレンズや直交積層レンティキュラレンズを用いた場合、図４の光偏向素子29と同様な問題が発生する。
【００５１】
図４の光偏向素子29ではｎ本の直線状ストライプパターン（ｎ本の光が入射してくる直線状ストライプ領域からなる）が式(1)または(2)を満たすようにする設計法により上記問題が解決されるが、図６の光偏向素子７では、傾斜した1本の直線状ストライプパターンのみでも上記問題が解決されるので、デバイスのバラツキ等に対するトレランス性が高いという長所を有する。
【００５２】
以下、上記問題を生じさせる光学メカニズムと上記問題を解決するための設計法について説明する。
図７は、図６の光偏向素子29から出射したスクリーン法線方向の光16がフライアイレンズ17の入射面に入射した場合の状態を示す立体模式図である。斜線部とした光入射領域18は、前記傾斜した直線状ストライプパターンのうちの１本である。該傾斜（すなわち請求項５にいう「傾斜」）の角度は前記θICCである。なお、フライアイレンズ17の出射面にはピンホール19付きブラックマスク４が付設されている。
【００５３】
フライアイレンズ17をなす複数個のレンズ単位胞20のいずれの１個をみても、その1個の入射面全体は光入射領域18でカバーされないから、その1個のみでは設計どおりの拡散特性が得られない。しかし、スクリーン上の１画素の領域内に横×縦の個数がｎ１×ｎ２個以上であるレンズ単位胞20が存在し、うちｎ１×ｎ２個が光入射領域18との交差部を１つずつ有する場合に、光入射領域18を前記交差部の個数（＝ｎ１×ｎ２個）以上の個数に分割し、その分割片を全部集めて統合した領域が、１個のレンズ単位胞20の入射面全体あるいはさらにそれ以上をカバーできれば、１画素全体の拡散特性は、設計どおりのものとなる。
【００５４】
前記光入射領域の分割片を統合した領域が、１個のレンズ単位胞の入射面全体をカバーできるようにする設計について図８〜１０を用いて説明する。これらの図は、図７と同様の光入射状態の例を示す部分背面図である。同図において、W1は光が入射してくる直線状ストライプ領域（光入射領域18）の幅、SPは光入射領域18のピッチ、PP1は画素の横ピッチ、PP2は同縦ピッチ、LP1はフライアイレンズ17の横ピッチ（レンズ単位胞20の横サイズ）、LP2は同縦ピッチ（同縦サイズ）、θICCは請求項５にいう「傾斜」の角度である。なお、同図には前記設計の議論に必要な部分のみを示した。
【００５５】
図８はｎ２＝PP2/LP2＝１の場合を示す。図８(a)は図７に対応するCase１（：ｎ１＝PP1/LP1＝４の場合）を示す。図８(a)では、光入射領域18の６個の分割片a,b,c,d,e,fが、代表としたレンズ単位胞（代表レンズ単位胞）20Aの入射面全体の分割領域a, b',c',d',e',f'をそれぞれカバーできている。分割片a,b,c,d,e,fと分割領域a, b',c',d',e',f'とはそれぞれ、互いに同形でかつレンズ単位胞の入射面内における位相も互いに同じであるから、拡散特性的に等価である。よって、代表レンズ単位胞20Aの入射面全体に光が入射した設計どおりの拡散特性が得られる。図８(b)はCase２（：ｎ１＝PP1/LP1＝３の場合）、図８(c)はCase３（：ｎ１＝PP1/LP1＝２の場合）をそれぞれ示す。Case１と同様、代表レンズ単位胞20Aの入射面全体に光が入射した設計どおりの拡散特性が得られる。なお、傾斜の角度θICCをCase番号の昇順に大きくした。
【００５６】
この条件（前記設計どおりの拡散特性が得られる条件）は、次式の成立下で満たされる。
sinθICC＝W1/LP1      ‥‥(3)
ｎ１＝PP1/LP1      ‥‥(4)
tanθICC＝LP2/｛（ｎ１−１）×LP1｝      ‥‥(5)
式(5)より、レンズ単位胞の横個数ｎ１が大きくなると傾斜の角度θICCは小さくなる。図８の状態および式(3)、(4)、(5)が有効なのは、θICC≦tan-1(LP2/LP1)の場合である。
【００５７】
一方、θICC≧tan-1(LP2/LP1)の場合に有効な状態の例を図９に示す。図９はｎ１＝PP1/LP1＝１の場合であり、（a）はCase４（：ｎ２＝PP2/LP2＝２）、(b)はCase５（：ｎ２＝PP2/LP2＝３）、(c)はCase６（：ｎ２＝PP2/LP2＝４）である。なお、Case４はCase３と同じ設計である。図９の状態は次式の成立下で実現する。
cosθICC＝W1/LP2      ‥‥(6)
ｎ２＝PP2/LP2      ‥‥(7)
tanθICC＝（ｎ２−１）×LP2/LP1      ‥‥(8)
式(8)より、レンズ単位胞の縦個数ｎ２が大きくなると傾斜の角度θICCは大きくなる。
【００５８】
図８、図９は、スクリーン上の１画素分の領域を1本の光入射領域（光が入射してくる直線状ストライプ領域）18が横断または縦断する間に、１つの代表レンズ単位胞20Aが合成される（この「合成される」とは、代表レンズ単位胞20Aの入射面全体に光が入射したのと等価な状態が得られることを意味する）設計である。
前記合成される対象になる代表レンズ単位胞20Aの横個数ｋ１の値が２である場合を図１０に、同縦個数ｋ２の値が２である場合の設計例を図１１にそれぞれ示す。
【００５９】
図１０に例示された状態は次式(9)〜(11)の成立下で実現する。また、図１１に例示された状態は次式(12)〜(14) の成立下で実現する。
sinθICC＝W1/LP1      ‥‥(9)
ｎ１＝PP1/LP1      ‥‥(10)
tanθICC＝ｋ１×LP2/｛（ｎ１−１）×LP1｝      ‥‥(11)
cosθICC＝W1/LP2      ‥‥(12)
ｎ２＝PP2/LP2      ‥‥(13)
tanθICC＝（ｎ２−１）×LP2/（ｋ２×LP1）      ‥‥(14)
前図８に係る式(5)は式(11)においてｋ１＝１とした場合に該当し、前図９に係る式(8)は式(14)においてｋ2＝１とした場合に該当する。フライアイレンズ17のパターンと傾斜した光入射領域18のパターンとの相互位置ずれは問題とならない。理想形態では式(9),(10),(11)か、式(12),(13),(14)か、が成立するように設計すれば問題はない。なお、ｎ１やｎ２あるいは、ｋ１やｋ２が自然数であるためθICCに許される角度値は離散的となるのであるが、これは光入射領域18をなす直線状ストライプパターンが1本のみについての条件であり、実際は複数本の直線状ストライプパターンで拡散特性の均一化を図るので、1本ごとのθICCに多少のバラツキがあっても、複数本で打ち消し合って平均化されるため、バラツキに対するトレランス性は大きい。
【００６０】
次に、請求項６ないし請求項７記載の本発明について説明する。請求項６記載の本発明は、請求項５記載の本発明のリアプロスクリーン用光偏向素子（例えば図６の直交積層シリンドリカルフレネルレンズ７）と併用されるフライアイレンズの好適形態を規定する。請求項７記載の本発明は、前記好適形態のフライアイレンズと併用されるブラックマスクの適正条件を規定する。
【００６１】
請求項６記載のフライアイレンズは、レンズ単位胞の縦、横の各サイズLP2、LP1が互いに独立に設計されること（図７の例のように互いに異なっていてもよいこと）に加えてさらに、レンズ単位胞の縦方向焦点距離ｆ２と横方向焦点距離ｆ１をも互いに独立に設計される（その結果、ｆ２≠ｆ１となっている）ものである。
図１２は、請求項６ないし請求項７記載の本発明に併用されるフライアイレンズおよびブラックマスクの１例を示す立体模式図である。同図では、フライアイレンズをなす複数個のレンズ単位胞20のうち不特定の１個のみを図示した。この例では、LP2＜LP1、かつｆ２＞ｆ１である。
同図より、縦方向視野角２θ２（＝２×θ２）と横方向視野角２θ１（＝２×θ１）は、それぞれ次式を満たす。つまり、LP1、LP2の設計自由度がほとんどなくても、ｆ２とｆ１とを互いに独立に設計することにより、縦、横両方向の視野角を自由に設計することができる。
【００６２】
tanθ１≒LP1/（２×ｆ１）    ‥‥(15)
tanθ２≒LP2/（２×ｆ２）    ‥‥(16)
また、同図に示されるように、ｆ２≠ｆ１であるレンズ単位胞では、縦方向集光位置と横方向集光位置とが、それぞれ別個の集光面上に乗るから、図７のようなｆ２＝ｆ１の場合への適合形態（すなわち、縦横双方向に共通の一つの集光面内に配置した一層のブラックマスクにピンホール状の開口アレイを設けたような形態）では、所望の明所高コントラストを得るのが難しい。これに対し、請求項７に対応する図１２の例では、ブラックマスクは、横方向集光位置を包含する横方向集光面内に配置された第１ＢＭ層４１と、縦方向集光位置を包含する縦方向集光面内に配置された第２ＢＭ層４２との二層で構成されている。第１ＢＭ層４１は横方向集光面内の横方向集光位置に矩形状開口31を有し、第２ＢＭ層４２は縦方向集光面内の縦方向集光位置にストライプ状開口32を有する。このようなブラックマスク形態とすることにより、ｆ２≠ｆ１であるレンズ単位胞の場合でも、図７の例と同程度の明所高コントラストが得られる。
【００６３】
ただし、請求項７におけるブラックマスク形態は、図１２に例示した二層に限らず、縦横双方向のいずれか一方向集光面内に一層のみブラックマスクを配置した形態であってもよい。また、ブラックマスク内の開口は、図１２に例示した矩形状、ストライプ状に限らず、楕円形状の開口であってもよい。
ここで、図１２に例示されるようなｆ２≠ｆ１であるレンズ単位胞からなるフライアイレンズの必要性が生まれる理由を説明する。
【００６４】
前述のように請求項５記載のリアプロスクリーン用光偏向素子（例えば図６の直交積層シリンドリカルフレネルレンズ７）を、フライアイレンズ型の集光拡散素子と併用する場合、例えば図１３に示すような設計アルゴリズムに則って、式(9),(10),(11)、あるいは式(12),(13),(14)、を満足するように設計しなければならない。
これらの式中、W1、PP1、PP2は、リアプロ光学系の倍率と画像表示デバイス、および、入射角に対する全反射型シリンドリカルフレネルレンズで決まる。したがって、W1、PP1、PP2は、フライアイレンズの設計では、自由度がなく、与えられる条件である。例えば、式(9),(10),(11)を成立させる設計の場合、W1とPP1が与えられ、LP1を決めると、式(9)よりθICCが決まり、式(10)よりｎ１が決まる。θICC、ｎ１、LP1が決まると、ｋ１をパラメータに、LP2が決まる。
【００６５】
つまり、LP1を決めると、LP2がｋ１をパラメータに決まるのであるが、ｋ１が自然数であるため、LP２の自由度がほとんどとれない問題が発生しうる。もし、フライアイレンズが、縦方向と横方向の焦点距離が同じ（ｆ２＝ｆ１である）レンズ単位胞で構成されたものであるならば、このLP1とLP2が縦方向と横方向の視野角を決めることになり、これら二方向の視野角を独立に制御できないこととなる。
【００６６】
これに対し、請求項６ないし請求項７記載の本発明では、フライアイレンズを、縦方向焦点距離と横方向焦点距離が相異なる（ｆ２≠ｆ１である）レンズ単位胞からなるものとしているから、縦方向と横方向の視野角の独立制御が可能となる。すなわち、LP1を決め、LP2の自由度がなくなっても、ｆ１とｆ２を互いに独立に設計でき、式(15,(16)より、所望の縦と横の視野角（θ２、θ１）を設計できる。
【００６７】
また、フライアイレンズは、直交積層レンティキュラレンズ（２枚のレンティキュラレンズを、それらの凸レンズ長手方向が互いに直交するように、積層したもの）と光学的に等価であるから、本発明は、集光拡散素子としてフライアイレンズに代えて直交積層レンティキュラレンズを用いたスクリーンへも適用しうる。
また、本発明は、光学エンジンからの大角度入射光を入光側で受けて出光側で画像表示光として用いるスクリーンの全てに適用できる。もっとも、出光側に拡散フィルムを有するスクリーンに適用する場合、全反射型シリンドリカルフレネルレンズのデューティー比過小による入射領域の幅減少があっても、その悪影響は拡散フィルムによって解消されうるから、θICCは、全角度範囲（０°〜９０°）内の任意の値をとることができる（つまり、全反射型シリンドリカルフレネルレンズの直線状プリズムの長手方向をスクリーン横方向に対して傾斜させてもよく、また、傾斜させなくてもよい）。
【００６８】
以上が、直交２層積層シリンドリカルフレネルレンズによるスクリーンシステムの説明である。ここから、シリンドリカルフレネルレンズ１層システムの説明を行う。
請求項１〜９に記載の発明（システムでもある）は、全て、直交２層積層型シリンドリカルフレネルレンズを用いているため、ロール転写法により大画面リアプロジェクションシステムに容易に対応できるが、さらなる超大画面システムを考えると、ロ一ラのサイズ(長さ)の限界がスクリーンのサイズ限界を決定する。ここで一般にスクリーンの縦の長さより、横の長さが長いことに着目する。一般に、縦：横＝9：16であり、横方向が縦方向の約２倍もある。よってローラを横方向に回転させて成型した、直線状プリズムや直線状レンズ形状の長手方向が横方向（横長）の形状であり、縦方向の光の拡散を実現するシリンドリカルフレネルレンズのみの１層システムでリアプロジェクションシステム用スクリーンを実現できれば、同一サイズのローラで直交２層積層型シリンドリカルフレネルレンズシステムの約２倍のサイズのスクリーンまで対応可能である。
【００６９】
つまり請求項１〜９に記載のシステムにおける横方向光偏向用シリンドリカルフレネルレンズを取り除いたシステムを考える。よってシリンドリカルフレネルレンズには、(1)屈折型、(2)ハイブリッド型、(3)全反射型の3種類が存在するので、この３タイプがまず考えられ、さらに(3)全反射型を傾斜させたタイプが考えられるため、４タイプが基本となる。横方向の光偏向機能を実現していたシリンドリカルフレネルレンズを取り除くのであるから、横方向の光の入射角の変化を吸収して、スクリーン法線方向を拡散角度範囲の中心方向にそろえる機能が必要となる。この機能を実現しているのがＤ型拡散フィルムである。Ｄ型拡散フィルムの優れた特性として入射角度範囲内で、入射光の角度が変化しても、拡散特性は原理的に変化せず、拡散角度範囲の中心方向は一定に保たれる特性があり、この特性を利用することにより、横方向光偏向用シリンドリカルフレネルレンズを取り除くことができる。なお、Ｄ型拡散フィルムは、単体でもよいが、拡散特性の相異なる複数の単体を積層した積層体でもよい。
【００７０】
一方、超大画面用スクリーンの製造を考えると、Ｄ型拡散フィルムの製造装置にもシリンドルカルフレネルレンズ製造と同様な問題が存在する。Ｄ型拡散フィルムは長く細い捧状ＵＶランプの下を、ＵＶランブの長手方向と垂直に、ＵＶ重合ポリマーフィルムを移動通過させ、重合させることにより、自己組織化的に周期的に屈折率の異なる層が、ＵＶランプの長手方向に多数縞状に形成されるわけであるが、このフィルムの幅がＵＶランプの長さで決定してしまう。屈折率が周期的に異なる層の方向は、ＵＶランプの長手方向とほぼ平行であり、拡散方向は周期的に屈析率の異なる層の方向と垂直方向であるため、フィルムの移動方向となる。フィルムの移動方向の長さの制限は無いため、この移動方向をスクリーンの長い横方向に設定すれば、横方向拡散用Ｄ型フィルムは、このフィルムを90度回転させて、縦方向拡散フィルムとした場合より、縦横比9：16のスクリーンの場合約２倍のサイズまで対応できる。縦方向拡散は、縦方向光偏向用シリンドリカルフレネルレンズで縦方向の光の入射角をスクリーンに垂直としているため、レンティキュラレンズシートで縦方向に集光拡散しても、縦方向の拡散光の中心方向(主光線方向)の縦出射角はほぽ０度であり、かつストライプ状ブラックマスク開口部に光は集光するため、光をロスすることなく、外光対策も可能である。縦方向拡散用レンティキュラレンズシートの直線状シリンドリカルレンズの長手方向は、スクリーン横方向であり、ロール転写法によって製造する場合、一般に縦より横が長い大画面スクリーンヘの適用を考えると、シリンドリカルフレネルレンズ製造と同様に横方向拡散用レンティキュラーレンズシートより有利となる。
【００７１】
この請求項１０に記載のシリンドリカルフレネルレンズ１層システムの構成例として、屈折型シリンドリカルフレネルレンズを用いたものを図１４に、ハイブリッド型シリンドリカルフレネルレンズを用いたものを図１５に、全反射型シリンドリカルフレネルレンズを用いたものを図１６に、それぞれ示す。図１４において、１は光学エンジン、40は縦方向光偏向用屈折型シリンドリカルフレネルレンズ、41は縦方向集光拡散用レンティキュラレンズ、42はストライプ状ブラックマスク、43は横方向拡散用Ｄ型拡散フィルム、50は横方向、51は縦方向である。図１５において、44は縦方向光偏向用ハイブリッド型シリンドリカルフレネルレンズであり、図１４と同一又は相当部材には同じ符号を付し説明を省略する。図１６において、45は縦方向光偏向用全反射型シリンドリカルフレネルレンズであり、図１４、図１５と同一又は相当部材には同じ符号を付し説明を省略する。
【００７２】
これらは、屈折型（図１４）、ハイブリッド型（図１５）、全反射型（図１６）の順に低角度から高角度入射へ対応するためのスクリーンシステムである。図１６に示すシステムには、図４に示すシステムと同様の問題が存在する。しかしこの問題も、図５に示す方法により解決できる。図５ではフライアイレンズによる拡散であり、LP1とLP2が存在するが、図１６のシステムではフライアイレンズではなく、レンティキュラレンズであるのでLP1がなく、LP2のみと考えればよい。図５に示す方法ではLP1は関係なくLP2のみが関係しているため、図１６のシステムにそのまま適用できる。さらに図６に示す方法と同様に図１６に示すシステムの縦方向光偏向用全反射型シリンドリカルフレネルレンズ45を縦方向集光拡散用レンティキュラレンズ41に対して傾斜させ、拡散の不均一を改善することが可能である。この請求項１１に記載のシステムの構成例を図１７に示す。図１７において、46は傾斜縦方向光偏向用全反射型シリンドリカルフレネルレンズであり、図１６と同一又は相当部材には同じ符号を付し説明を省略する。
【００７３】
この請求項１１に記載のシステムの設計には図８〜図１１に示した方法を適用する。ただしフライアイレンズによる拡散でなくレンティキュラレンズによる拡散であるため、LP1とLP2のうちLP2のみが存在し、LP1は存在しないことになる。逆に言うと、LP1は存在すると仮定して自由に設定し、図１３に示した設計アルゴリズムに従って設計してゆけば良いことになる。レンティキュラレンズの焦点距離がf２であり、f１も存在しない。横方向の拡散はＤ型拡散フィルムで実現するため、縦方向拡散を実現するレンティキュラレンズとは別のデバイスであるので、縦方向拡散と横方向拡散は独立に設計可能である。以上が発明のシリンドリカルフレネルレンズ１層システムの４つのタイプの説明である。
【００７４】
なお、請求項１０、請求項１１に記載の発明において、縦方向と横方向を入替えた形態とした場合でも同様の効果が得られるから、かかる形態を請求項１２に記載の発明とした。
【図面の簡単な説明】
【００７５】
【図１】従来のリアプロジェクションスクリーンの１例を示す平断面模式図である。
【図２】請求項１記載の本発明の実施形態の1例を示す立体模式図である。
【図３】請求項２記載の本発明の実施形態の1例を示す立体模式図である。
【図４】請求項４記載の本発明の実施形態の1例を示す立体模式図である。
【図５】直交積層シリンドリカルフレネルレンズの光出射側にフライアイレンズ等を設置した場合の問題を解決するための設計法を示す説明図である。
【図６】請求項５記載の本発明の実施形態の1例を示す立体模式図である。
【図７】請求項５記載の本発明に係る直交積層シリンドリカルフレネルレンズからフライアイレンズへの光入射状態の1例を示す立体模式図である。
【図８】請求項５記載の本発明に係る直交積層シリンドリカルフレネルレンズからフライアイレンズへの光入射状態の複数例を示す部分背面図である。
【図９】請求項５記載の本発明に係る直交積層シリンドリカルフレネルレンズからフライアイレンズへの光入射状態の複数例を示す部分背面図である。
【図１０】請求項５記載の本発明に係る直交積層シリンドリカルフレネルレンズからフライアイレンズへの光入射状態の複数例を示す部分背面図である。
【図１１】請求項５記載の本発明に係る直交積層シリンドリカルフレネルレンズからフライアイレンズへの光入射状態の複数例を示す部分背面図である。
【図１２】請求項６ないし請求項７記載の本発明に併用されるフライアイレンズおよびブラックマスクの１例を示す立体模式図である。
【図１３】本発明の実施に用いられる設計アルゴリズムの１例を示すフローチャート図である。
【図１４】請求項１０に記載の本発明の実施形態における縦方向光偏向用屈折型シリンドリカルフレネルレンズを用いた例を示す立体模式図である。
【図１５】請求項１０に記載の本発明の実施形態における縦方向光偏向用ハイブリッド型シリンドリカルフレネルレンズを用いた例を示す立体模式図である。
【図１６】請求項１０に記載の本発明の実施形態における縦方向光偏向用全反射型シリンドリカルフレネルレンズを用いた例を示す立体模式図である。
【図１７】請求項１１に記載の本発明の実施形態の１例を示す立体模式図である。
【符号の説明】
【００７６】
１  光学エンジン
２  フレネルレンズ（光偏向素子）
３  レンティキュラレンズ（集光素子）
４  ブラックマスク
４１  第１ブラックマスク層（第１ＢＭ層）
４２  第２ブラックマスク層（第２ＢＭ層）
５  拡散フィルム
６  反射防止膜
７  直交積層シリンドリカルフレネルレンズ（光偏向素子）
８  全反射型シリンドリカルフレネルレンズ（斜め縦方向光偏向素子）
９  屈折型シリンドリカルフレネルレンズ（斜め横方向光偏向素子）
10  スクリーン縦方向（スクリーン正面図中の鉛直方向）
11  スクリーン横方向（スクリーン正面図中の水平方向）
12  スクリーン法線方向（スクリーン正面図の紙面に垂直な方向）で直交積層フレネルシリンドリカルレンズ光軸（７の光軸で傾斜回転軸）
13  ８の直線状プリズムの長手方向
14  ９の直線状レンズ部分の長手方向
15  大角度入射光
16  スクリーン法線方向の光
17  フライアイレンズ（集光拡散素子）
18  光入射領域（光が入射してくる直線状ストライプ領域）
19  ピンホール
20  レンズ単位胞
20A  代表としたレンズ単位胞（代表レンズ単位胞）
21  屈折型シリンドリカルフレネルレンズ（縦方向光偏向素子）
22  屈折型シリンドリカルフレネルレンズ（横方向光偏向素子）
23  直交積層シリンドリカルフレネルレンズ（屈折型＋屈折型構成；光偏向素子）
24  ハイブリッド型シリンドリカルフレネルレンズ（縦方向光偏向素子）
25  直交積層シリンドリカルフレネルレンズ（ハイブリッド型＋屈折型構成；光偏向素子）
26  全反射型直線状プリズム
27  屈折型直線状プリズム
28  全反射型シリンドリカルフレネルレンズ（縦方向光偏向素子）
29  直交積層シリンドリカルフレネルレンズ（全反射型＋屈折型構成；光偏向素子）
31  ブラックマスク内の開口（矩形状開口）
32  ブラックマスク内の開口（ストライプ状開口）
40  縦方向光偏向用屈折型シリンドリカルフレネルレンズ
41  縦方向集光拡散用レンティキュラレンズ
42  ストライプ状ブラックマスク
43  横方向拡散用Ｄ型拡散フィルム
44  縦方向光偏向用ハイブリッド型シリンドリカルフレネルレンズ
45  縦方向光偏向用全反射型シリンドリカルフレネルレンズ
46  傾斜縦方向光偏向用全反射型シリンドリカルフレネルレンズ
50  横方向
51  縦方向
【図１】
2008304586.tif 000003
【図２】
2008304586.tif 000004
【図３】
2008304586.tif 000005
【図４】
2008304586.tif 000006
【図５】
2008304586.tif 000007
【図６】
2008304586.tif 000008
【図７】
2008304586.tif 000009
【図８】
2008304586.tif 000010
【図９】
2008304586.tif 000011
【図１０】
2008304586.tif 000012
【図１１】
2008304586.tif 000013
【図１２】
2008304586.tif 000014
【図１３】
2008304586.tif 000015
【図１４】
2008304586.tif 000016
【図１５】
2008304586.tif 000017
【図１６】
2008304586.tif 000018
【図１７】
2008304586.tif 000019